(57)【要約】【課題】  簡単な構造のファンモータ及びそのファンモータを有する電子レンジを提供する。【解決手段】  ファンモータは、固定子と、固定子により取り囲まれる回転子と、回転子に挿入され回転子と一緒に回転し、回転子の両端部から延長される回転軸と、固定子の前面に装着され、回転軸を収容するための貫通孔を有する支持部材と、回転軸を回転可能に支持するため、支持部材の貫通孔に挿着され、回転軸の両端を一定の軸線で回転させるため先端部が前記支持部材の貫通孔から外側に所定長さだけ延長されるベアリングとを含み、電子レンジは、外観をなす本体と、本体内に設けられた調理室及び電装室と、電装室内に取り付けられた送風ファンと、送風ファンを回転させるための前記ファンモータとを含んでなる。【選択図】  図３
2004215490.tif 000002
【特許請求の範囲】
【請求項１】
固定子と、
前記固定子により取り囲まれる回転子と、
前記回転子に挿入され前記回転子と一緒に回転し、前記回転子の両端部から延長される回転軸と、
前記固定子の前面に装着され、前記回転軸を収容するための貫通孔を有する支持部材と、
前記回転軸を回転可能に支持するため、前記支持部材の貫通孔に挿着され、前記回転軸の両端を一定の軸線で回転させるため先端部が前記支持部材の貫通孔から外側に所定長さだけ延長されるベアリングとを含んでなることを特徴とするファンモータ。
【請求項２】
前記ベアリングは後端部を有し、前記支持部材は前記貫通孔の縁部から一体的に後方に所定量だけ延長されるボスを有し、前記ベアリングの後端部は前記ボスに挿入されることを特徴とする請求項１に記載のファンモータ。
【請求項３】
前記ベアリングの先端部は前記ベアリングの後端部の直径より大きいことを特徴とする請求項２に記載のファンモータ。
【請求項４】
前記回転子及び前記回転軸が前記固定子から後方に抜き出されることを防止するため、前記ベアリングの前方の前記回転軸の外面周囲に形成された挿入溝に結合されるストッパをさらに含むことを特徴とする請求項２に記載のファンモータ。
【請求項５】
前記ストッパは半円状の断面を有し、その内周には前記挿入溝内に前記ストッパを支持するため前記挿入溝に挿入される多数の固定突出片が設けられることを特徴とする請求項４に記載のファンモータ。
【請求項６】
前記ベアリングはオイルレスベアリングであることを特徴とする請求項２に記載のファンモータ。
【請求項７】
オイルに濡れているオイル吸着部材と、前記支持部材の貫通孔の周囲に設けられた凹部とをさらに含み、前記オイル吸着部材は、前記回転軸が回転するにつれて前記ベアリングの周囲にオイルを供給するため、前記凹部に挿着されることを特徴とする請求項６に記載のファンモータ。
【請求項８】
前記オイル吸着部材は環状であることを特徴とする請求項７に記載のファンモータ。
【請求項９】
前記オイル吸着部材が固定子の外部に露出することを防止するため、前記凹部を覆うオイルキャップをさらに含むことを特徴とする請求項７に記載のファンモータ。
【請求項１０】
電子レンジの外観をなす本体と、
前記本体内に設けられた調理室及び電装室と、
前記電装室内に取り付けられた送風ファンと、
前記送風ファンを回転させるためのファンモータとを含んでなり、
前記ファンモータは、
固定子と、
前記固定子により取り囲まれる回転子と、
前記回転子に挿入され前記回転子と一緒に回転し、前記回転子の両端部から延長される回転軸と、
前記固定子の前面に装着され、前記回転軸を収容するための貫通孔を有する支持部材と、
前記回転軸を回転可能に支持するため、前記支持部材の貫通孔に挿着され、前記回転軸の両端を一定の軸線で回転させるため先端部が前記支持部材の貫通孔から外側に所定長さだけ延長されるベアリングとを含むことを特徴とする電子レンジ。
【請求項１１】
前記ベアリングは後端部を有し、前記支持部材は前記貫通孔に対応する孔を形成するため、前記支持部材から一体的に後方に延長されるボスを有し、前記ベアリングの後端部は前記貫通孔及び前記ボス内に挿入されることを特徴とする請求項１０に記載の電子レンジ。
【請求項１２】
前記ベアリングの先端部は前記ベアリングの後端部の直径より大きいことを特徴とする請求項１１に記載の電子レンジ。
【請求項１３】
前記回転子及び前記回転軸が前記固定子から後方に抜き出されることを防止するため、前記ベアリングの前方の前記回転軸の外面周囲に形成された挿入溝に結合されるストッパをさらに含むことを特徴とする請求項１１に記載の電子レンジ。
【請求項１４】
前記ストッパは半円状の断面を有し、その内周には前記挿入溝内に前記ストッパを支持するため前記挿入溝に挿入される多数の固定突出片が設けられることを特徴とする請求項１３に記載の電子レンジ。
【請求項１５】
ファンハウジングと、
前記ファンハウジングの一側に装着されるファンと、
前記ファンハウジングの他側に装着され、前記ファンを回転させるファンモータとを含んでなり、
前記ファンモータは、
固定子と、
前記固定子により取り囲まれる回転子と、
前記回転子に挿入され前記回転子と一緒に回転し、前記回転子の両端部から延長される回転軸と、
前記固定子の前面に装着され、前記回転軸を収容するための貫通孔を有する支持部材と、
前記回転軸を回転可能に支持するため、前記支持部材の貫通孔に挿着され、前記回転軸の両端を一定の軸線で回転させるため先端部が前記支持部材の貫通孔から外側に所定長さだけ延長されるベアリングとを含むことを特徴とする送風機。
【請求項１６】
前記ベアリングは後端部を有し、前記支持部材は前記貫通孔の縁部から一体的に後方に延長されるボスを有し、前記ベアリングの後端部は前記ボス内に挿入されることを特徴とする請求項１５に記載の送風機。
【請求項１７】
前記ベアリングの先端部は前記ベアリングの後端部の直径より大きいことを特徴とする請求項１６に記載の送風機。
【請求項１８】
前記回転子及び前記回転軸が前記固定子から後方に抜き出されることを防止するため、前記ベアリングの前方の前記回転軸の外面周囲に形成された挿入溝に結合されるストッパをさらに含むことを特徴とする請求項１６に記載の送風機。
【請求項１９】
前記ストッパは半円状の断面を有し、その内周には前記挿入溝内に前記ストッパを支持するため前記挿入溝に挿入される多数の固定突出片が設けられることを特徴とする請求項１８に記載の送風機。
【請求項２０】
前記ベアリングはオイルレスベアリングであることを特徴とする請求項１６に記載の送風機。
【請求項２１】
前記ファンモータは、オイルに濡れているオイル吸着部材と、前記支持部材の貫通孔の周囲に設けられた凹部とをさらに含み、前記オイル吸着部材は、前記回転軸が回転するにつれて前記ベアリングの周囲にオイルを供給するため、前記凹部に挿着されることを特徴とする請求項２０に記載の送風機。
【請求項２２】
前記オイル吸着部材は環状であることを特徴とする請求項２１に記載の送風機。
【請求項２３】
前記ファンモータは、前記オイル吸着部材が固定子の外部に露出することを防止するため、前記凹部を覆うオイルキャップをさらに含むことを特徴とする請求項２１に記載の送風機。
【発明の詳細な説明】
【技術分野】
【０００１】
本発明は簡単な構造を有するファンモータ及びそのファンモータを有する電子レンジに関するものである。
【背景技術】
【０００２】
一般に、電子レンジは、電装室に設置されたマグネトロンから発生する高周波を用いて調理室内の調理物を調理するか或いは暖める器具で、高周波を調理室の内部に照射し、調理物に含有された水分の分子配列を繰り返し変換させることにより発生する分子間の摩擦熱で調理物を調理する。
【０００３】
かかる電子レンジの内部には、高周波を発生させるため、マグネトロンのような電装品が設置されている電装室と、調理物を収容して調理する調理室とが互いに区画されている。
【０００４】
前記電装室には、電装室に設置されたマグネトロンのような電装品が作動するときに発生する熱を冷却させるとともに、調理室内で調理される調理物から発生する臭い、煙などを外部へ排出させるため、送風機が設置されている。
【０００５】
したがって、前記送風機が作動すると、電装品室に空気が流入して電装品を冷却させ、このように電装品を冷却させた空気は続いて調理室を通過することにより、調理物の調理過程で発生する臭い、煙などを調理室から外部へ排出させる。
【０００６】
一般に、送風機はファンモータと該ファンモータにより回転する送風ファンとを含んでなる。ファンモータは、固定子と、該固定子との電磁気作用により回転する回転子と、前記回転子とともに回転して送風ファンを回転させる回転軸とを含んでなる。
【０００７】
回転軸は回転子とともに回転できるように回転子に押し込まれ、その両端は回転子を貫通して延長される。このような回転軸の一端に送風ファンが結合され、送風ファンがファンモータにより回転することにより、電装室を冷却させるとともに調理室を換気させることになる。
【０００８】
回転子を貫通した回転軸が回転子とともに回転するとき、回転軸の両端が同心状態で回転するようにするため、固定子の前面と後面にはそれぞれブラケットが設けられる。各ブラケットには、前記回転軸を回転可能に収容するため貫通孔が形成される。
【０００９】
前述したように、従来のファンモータは、長い回転軸が同心状態で回転できるようにするために、回転子の前面と後面で固定子に固定されたブラケットが回転軸を支持する構造を有するため、ファンモータの部品数が増大して製造費用及び組立時間を増大させ、よってこのようなファンモータを備えた電子レンジの製造原価を増大させる欠点があるものである。
【発明の開示】
【発明が解決しようとする課題】
【００１０】
したがって、本発明は前述したような従来技術の問題点を解決するためになされたもので、その目的は簡単な構造のファンモータ及びそのファンモータを有する電子レンジを提供することにある。
【課題を解決するための手段】
【００１１】
このような目的を達成するため、本発明は、固定子と、前記固定子により取り囲まれる回転子と、前記回転子に挿入され前記回転子と一緒に回転し、前記回転子の両端部から延長される回転軸と、前記固定子の前面に装着され、前記回転軸を収容するための貫通孔を有する支持部材と、前記回転軸を回転可能に支持するため、前記支持部材の貫通孔に挿着され、前記回転軸の両端を一定の軸線で回転させるため先端部が前記支持部材の貫通孔から外側に所定長さだけ延長されるベアリングとを含んでなるファンモータを提供する。
【００１２】
前記ベアリングは後端部を有し、前記支持部材は前記貫通孔の縁部から一体的に後方に所定量だけ延長されるボスを有し、前記ベアリングの後端部は前記ボスに挿入される。
【００１３】
前記ベアリングの先端部は前記ベアリングの後端部の直径より大きい。
【００１４】
前記ファンモータは、前記回転子及び前記回転軸が前記固定子から後方に抜き出されることを防止するため、前記ベアリングの前方の前記回転軸の外面周囲に形成された挿入溝に結合されるストッパをさらに含む。
【００１５】
前記ストッパは半円状の断面を有し、その内周には前記挿入溝内に前記ストッパを支持するため前記挿入溝に挿入される多数の固定突出片が設けられる。
【００１６】
前記ファンモータは、オイルに濡れているオイル吸着部材と、前記支持部材の貫通孔の周囲に設けられた凹部とをさらに含み、前記オイル吸着部材は、前記回転軸が回転するにつれて前記ベアリングの周囲にオイルを供給するため、前記凹部に挿着される。
【００１７】
前記ファンモータは、前記オイル吸着部材が固定子の外部に露出することを防止するため、前記凹部を覆うオイルキャップをさらに含む。
【００１８】
また、本発明は、電子レンジの外観をなす本体と、前記本体内に設けられた調理室及び電装室と、前記電装室内に取り付けられた送風ファンと、前記送風ファンを回転させるためのファンモータとを含んでなり、前記ファンモータは、固定子と、前記固定子により取り囲まれる回転子と、前記回転子に挿入され前記回転子と一緒に回転し、前記回転子の両端部から延長される回転軸と、前記固定子の前面に装着され、前記回転軸を収容するための貫通孔を有する支持部材と、前記回転軸を回転可能に支持するため、前記支持部材の貫通孔に挿着され、前記回転軸の両端を一定の軸線で回転させるため先端部が前記支持部材の貫通孔から外側に所定長さだけ延長されるベアリングとを含むようになった電子レンジを提供する。
【００１９】
また、本発明は、ファンハウジングと、前記ファンハウジングの一側に装着されるファンと、前記ファンハウジングの他側に装着され、前記ファンを回転させるファンモータとを含んでなり、前記ファンモータは、固定子と、前記固定子により取り囲まれる回転子と、前記回転子に挿入され前記回転子と一緒に回転し、前記回転子の両端部から延長される回転軸と、前記固定子の前面に装着され、前記回転軸を収容するための貫通孔を有する支持部材と、前記回転軸を回転可能に支持するため、前記支持部材の貫通孔に挿着され、前記回転軸の両端を一定の軸線で回転させるため先端部が前記支持部材の貫通孔から外側に所定長さだけ延長されるベアリングとを含むようになった送風機を提供する。
【発明の効果】
【００２０】
本発明によるファンモータ及びそのファンモータを有する電子レンジは、ファンモータの回転軸が、固定子の前面に結合された一つの支持部材と、この支持部材の中心に固定された長軸ベアリングとにより、同心状態で回転可能に支持される簡単な構造を有し、よってファンモータ及びそのファンモータを有する電子レンジの製造費を節減することができる効果がある。
【発明を実施するための最良の形態】
【００２１】
以下、添付図面に基づいて本発明の好ましい実施例を詳細に説明する。
図１は本発明によるファンモータを含む送風機を有する電子レンジの概略分解斜視図であり、図２は図１に示す送風機の分解斜視図である。
図１に示すように、本発明による電子レンジは、外観をなす本体１と、前記本体１の内部に互いに区画されて設けられた電装室２及び調理室３とを含む。電装室２の前面には制御盤４が取り付けられ、調理室３の前面にはドア５が取り付けられる。
【００２２】
電装室２には、高周波を発生させるためのマグネトロン６などのような電装品と、この電装品を冷却させるための送風機１０とが設けられている。前記送風装置１０は電装室２の後壁に固着されている。
【００２３】
電装室２の後壁には、電装室２に空気が流入できるようにする通孔７が設けられ、調理室３の両側壁には、前記送風機１０により電装室２に流入した空気が調理室３を通過するようにする通孔８，９が設けられる。
【００２４】
したがって、電子レンジを作動させると、マグネトロン６から放射される高周波が調理室３内の調理物を調理するとともに、送風機１０が作動して、通孔７を通じて空気が電装室２に流入される。電装室２に流入した空気は電装品を冷却させた後、通孔８、９を通じて調理室３を通過することにより、調理過程で調理物から発生するガス及び臭いが強制的に調理室３から排出される。
【００２５】
図２に示すように、送風機１０は、電装室２の後壁に固着されるファンハウジング１１と、前記ファンハウジング１１に取り付けられるファンモータ２０と、前記ファンモータ２０により回転される送風ファン１２とを含んでなる。前記ファンモータ２０は複数のネジ１３により前記ファンハウジング１１に固定される。
【００２６】
したがって、ファンモータ２０が作動すると、このファンモータ２０に結合された送風ファン１２が回転して、外部空気を通孔７を通じて電装室２に流入させる。
【００２７】
以下、本発明によるファンモータについて図３ないし図５を参照して説明する。
図３はファンモータの構造を示す分解斜視図である。同図に示すように、本発明によるファンモータ２０は、固定子２１と、回転子２５と、回転軸２６とを含んでなる。
【００２８】
固定子２１は電流が印加されるコイル２２とこのコイル２２を貫通する略四角形のコア２３とからなるもので、コイル２２に電流が印加されると、コア２３に磁界が形成して回転子２５を回転させる。コア２３には回転子２５の外径よりやや大きく形成された開口２４が設けられ、回転子２５がコア２３の内部に回転可能に取り付けられる。
【００２９】
回転子２５は略円筒状のものであり、その中心には回転軸２６が押し込まれて回転子２５とともに回転する。回転軸２６の先端部２６ａと後端部２６ｂはそれぞれ回転子２５の前後方に延長する。前記回転軸２６の先端部２６ａは後端部２６ｂより長く配置され、前記先端部２６ａの先端に送風ファン１２（図２参照）が結合されて回転する。
【００３０】
固定子２１の前面には、前記回転軸２６の先端部２６ａを支持するための支持部材２７がコア２３にネジで結合されている。前記支持部材２７の中心には、回転軸２６が貫通する貫通孔２８が形成され、前記貫通孔２８の周囲には一定直径の凹部２９が設けられている。
【００３１】
前記貫通孔２８には、回転軸２６の先端部２６ａが支持部材２７に回転可能に支持されるようにするためのオイルレスタイプのベアリング３２が嵌合され、前記凹部２９には、オイルに濡れている環状オイル吸着部材３３と、このオイル吸着部材３３を覆うためのオイルキャップ３４とが結合される。
【００３２】
したがって、前記オイル吸着部材３３に吸着されているオイルが凹部２９の縁部に沿ってベアリング３２に流れることにより、回転軸２６がベアリング３２の内部で円滑に回転することになる。
【００３３】
前記ベアリング３２は、外径が相対的に大きくベアリング３２の先端部をなす大径部３２ａと、外径が相対的に小さくベアリング３２の後端部をなす小径部３２ｂとが一体的になったものである。前記大径部３２ａ及び小径部３２ｂには一定直径の孔３２ｃが形成されている。このような構造により、ベアリング３２は、小径部３２ｂが支持部材２７の貫通孔２８に挿合され、大径部３２ａが支持部材２７の前方に突出することになる。ベアリング３２の孔３２ｃには回転軸２６の先端部２６ａが回転可能に収容される。
【００３４】
この際、回転軸２６の直径はベアリング３２の孔３２ｃの直径より微細な差で小さく形成して、回転軸２６がベアリング３２に遊動なしで収容され、同心状態で回転するようにする。
【００３５】
また、前記回転軸２６の先端部２６ａには、前記回転軸２６及び前記回転子２５が固定子２１の後方に抜き出されないようにするためのストッパ３５が結合される。このストッパ３５の設置構造については図５を参照して後述する。
【００３６】
図４は回転軸２６を支持する支持部材２７の後面を示す斜視図である。同図に示すように、前記支持部材２７の後面には、支持部材２７の貫通孔２８の縁部から後方に一体的に延長してなったボス３０が設けられ、支持部材２７の両側には、支持部材２７を固定子２１のコア２３に固定するためのネジ孔３１が形成されている。
【００３７】
前記ボス３０の内部に、ベアリング３２の後端部をなす小径部３２ｂが挿入されるので、ベアリング３２の全長が比較的長く形成できる。このような構造により、ベアリング３２は回転軸２６を同心状態で回転できるように支持することになる。
【００３８】
図５はファンモータ２０の回転軸２６に結合されるストッパ３５を拡大して示す斜視図である。同図に示すように、ベアリング３２の孔３２ｃに回転可能に挿入された回転軸２６が固定子２１の後方に抜き出されることを防止するため、回転軸２６の先端部２６ａにストッパ３５が結合される。
【００３９】
前記ストッパ３５は略半円状に形成され、その内周には複数の固定突出片３５ａが設けられる。また、前記ベアリング３２の大径部３２ａの前方、つまり回転軸２６の先端部２６ａには、前記ストッパ３５を挟支するための挿入溝３６が形成される。
【００４０】
したがって、前記ストッパ３５を前記挿入溝３６の上方から下方に差し込むと、ストッパ３５が少し広がりながらその固定突出片３５ａが挿入溝３６に挟支されることにより、ストッパ３５が挿入溝３６に結合される。このように、ストッパ３５が挿入溝３６に結合されると、ストッパ３５の一側面がベアリング３２の大径部３２ａの先端にかかるので、回転軸２６の先端部２６ａが固定子２１の後方に抜き出されなくなる。
【００４１】
このように構成されたファンモータ２０が作動すると、固定子２１と回転子２５の電磁気作用により、回転子２５が回転軸２６と一緒に回転し、よって回転軸２６の先端部２６ａに結合された送風ファン１２が回転して空気を吸入することになる。
【図面の簡単な説明】
【００４２】
【図１】本発明によるファンモータを含む送風機を備える電子レンジの分解斜視図である。
【図２】図１の送風機の分解斜視図である。
【図３】図２に示すファンモータの分解斜視図である。
【図４】図３のファンモータに含まれた支持部材の後面を示す斜視図である。
【図５】図３のファンモータの回転軸に結合されるストッパを拡大して示す斜視図である。
【符号の説明】
【００４３】
２  電装室
３  調理室
１２  送風ファン
２０  ファンモータ
２１  固定子
２５  回転子
２６  回転軸
２７  支持部材
３２  ベアリング
３３  オイル吸着部材
３４  オイルキャップ
３５  ストッパ
【図１】
2004215490.tif 000003
【図２】
2004215490.tif 000004
【図３】
2004215490.tif 000005
【図４】
2004215490.tif 000006
【図５】
2004215490.tif 000007